(57)【要約】【課題】ストラップ本体の長さ調節することができるストラップを提供する。【解決手段】本発明のストラップ１０は、１本の紐の長手方向中央側の部分で構成されると共に紐の長手方向中央側の部分をその中央部で折り返して形成した基部１８と、この基部１８と連続する紐の長手方向一端側の部分及び他端側の部分によって基部１８の基端部側から折返し部側へ順に基部１８の長手方向と直交方向を結び方向とする本結び３０，３２を複数形成することにより構成されると共に、各本結び３０，３２を構成する一対の輪部で基部１８を両側から挟み込む編込み部２０とを有するストラップ本体１２と、基部１８の基端部及び編込み部２０の始端部と接続された第一係合部材１４と、第一係合部材１４と係合可能に構成されると共に、編込み部２０の終端部と接続され、且つ、基部１８の折返し部に対し基部１８の長手方向に移動可能とされた第二係合部材１６とを備えている。【選択図】図１
2011087884.tif 000002
【特許請求の範囲】
【請求項１】
１本の紐の長手方向中央側の部分で構成されると共に前記紐の長手方向中央側の部分をその中央部で折り返して形成した基部と、前記基部と連続する前記紐の長手方向一端側の部分及び他端側の部分によって前記基部の基端部側から折返し部側へ順に前記基部の長手方向と直交方向を結び方向とする本結びを複数形成することにより構成されると共に、前記各本結びを構成する一対の輪部で前記基部を両側から挟み込む編込み部と、を有するストラップ本体と、
前記基部の基端部及び前記編込み部の始端部と接続された第一係合部材と、
前記第一係合部材と係合可能に構成されると共に、前記編込み部の終端部と接続され、且つ、前記基部の折返し部に対し前記基部の長手方向に移動可能とされた第二係合部材と、
を備えたストラップ。
【発明の詳細な説明】
【技術分野】
【０００１】  本発明は、ストラップに関する。
【背景技術】
【０００２】  特許文献１には、１本の紐を編込んで形成されたストラップ本体と、このストラップ本体の長手方向一端部に接続された第一係合部材と、この第一係合部材と係合可能に構成されると共に、ストラップ本体の長手方向他端部に接続された第二係合部材と、を備えたストラップが開示されている。
【先行技術文献】
【特許文献】
【０００３】
【特許文献１】  ＵＳ００Ｄ４２１６６９Ｓ
【発明の概要】
【発明が解決しようとする課題】
【０００４】  しかしながら、特許文献１に記載のストラップでは、ストラップ本体の長さ調節することができない。【０００５】  そこで、本発明は、ストラップ本体の長さ調節することができるストラップを提供することを目的とする。
【課題を解決するための手段】
【０００６】  前記目的を達成するために、本発明のストラップは、１本の紐の長手方向中央側の部分で構成されると共に前記紐の長手方向中央側の部分をその中央部で折り返して形成した基部と、前記基部と連続する前記紐の長手方向一端側の部分及び他端側の部分によって前記基部の基端部側から折返し部側へ順に前記基部の長手方向と直交方向を結び方向とする本結びを複数形成することにより構成されると共に、前記各本結びを構成する一対の輪部で前記基部を両側から挟み込む編込み部と、を有するストラップ本体と、前記基部の基端部及び前記編込み部の始端部と接続された第一係合部材と、前記第一係合部材と係合可能に構成されると共に、前記編込み部の終端部と接続され、且つ、前記基部の折返し部に対し前記基部の長手方向に移動可能とされた第二係合部材と、を備えている。
【発明の効果】
【０００７】  このストラップによれば、第二係合部材は、編込み部の終端部と接続されており、基部の折返し部に対しては基部の長手方向に移動可能とされている。従って、第二係合部材を基部に対して基部の長手方向に相対移動させることにより、編込み部の長さ、ひいては、ストラップ本体の長さ（第一係合部材と第二係合部材との間の距離）を調節することができる。【０００８】  しかも、このストラップによれば、ストラップ本体は、各本結び（英名：リーフノット）を構成する一対の輪部で基部を両側から挟み込む構成とされている。従って、上述の如くストラップ本体の長さを調節した後に、第一係合部材及び第二係合部材を係合させてストラップを環状とさせた場合には、ストラップを直線状とさせている場合に比して、各本結びを構成する一対の輪部と基部との間の摩擦力が増加される。これにより、ストラップ本体の長さを調節後の長さに維持することができる。
【図面の簡単な説明】
【０００９】
【図１】  本発明の一実施形態に係るストラップを環状とさせた状態を示す側面図である。
【図２Ａ】  図１に示されるストラップを直線状とさせた状態を示す正面図である
【図２Ｂ】  図１に示されるストラップを図２Ａの状態よりも長くさせた状態を示す正面図である
【図３Ａ】  図２Ａに示されるストラップの背面図である。
【図３Ｂ】  図２Ｂに示されるストラップの背面図である。
【図４Ａ】  図１に示されるストラップの製造方法を説明する図である。
【図４Ｂ】  図１に示されるストラップの製造方法を説明する図である。
【図４Ｃ】  図１に示されるストラップの製造方法を説明する図である。
【図４Ｄ】  図１に示されるストラップの製造方法を説明する図である。
【図４Ｅ】  図１に示されるストラップの製造方法を説明する図である。
【図４Ｆ】  図１に示されるストラップの製造方法を説明する図である。
【図４Ｇ】  図１に示されるストラップの製造方法を説明する図である。
【図４Ｈ】  図１に示されるストラップの製造方法を説明する図である。
【図４Ｉ】  図１に示されるストラップの製造方法を説明する図である。
【発明を実施するための形態】
【００１０】  以下、本発明の一実施形態について説明する。
【００１１】  図１に示される本発明の一実施形態に係るストラップ１０は、例えば、腰ベルト、犬の首輪、アクセサリー等に好適に用いることができるものである。このストラップ１０は、図１〜図３Ｂに示されるように、ストラップ本体１２と、第一係合部材１４と、第二係合部材１６とを備えている。
【００１２】  ストラップ本体１２は、１本の紐２２によって構成されており、基部１８と編込み部２０とを有している。この基部１８と編込み部２０の具体的な構成については、後述するこのストラップ１０の作り方と併せて説明する。
【００１３】  第一係合部材１４は、基部１８の基端部１８Ａ及び編込み部２０の始端部２０Ａと接続されている。
【００１４】  第二係合部材１６は、第一係合部材１４と係合可能な構成とされている。また、この第二係合部材１６は、編込み部２０の終端部２０Ｂと接続されると共に、基部１８の折返し部１８Ｂに対して基部１８の長手方向に移動可能とされている。
【００１５】  次に、上記構成のストラップ１０の製造方法について説明する。
【００１６】  先ず、図４Ａに示されるように、１本の紐２２を用意する。この紐２２としては、例えば、登山用ロープ等が好適である。なお、以下の説明において、この紐２２の長手方向中央側の部分とは、符号２２Ａで示される部分である。また、この紐２２の長手方向一端側の部分及び他端側の部分とは、それぞれ符号２２Ｂ，２２Ｃで示される部分である。
【００１７】  続いて、図４Ｂに示されるように、この紐２２の長手方向中央側の部分２２Ａをその中央部で折り返す。そして、この紐２２の長手方向中央側の部分２２Ａで基部１８を形成する。この紐２２における長手方向中央部は、基部１８の折返し部１８Ｂに相当する。
【００１８】  続いて、図４Ｃに示されるように、基部１８を折返し部１８Ｂ側から第一係合部材１４の固定部２４に形成された穴部２６に挿入する。
【００１９】  そして、図４Ｄに示されるように、基部１８と連続する紐２２の長手方向一端側の部分２２Ｂ及び他端側の部分２２Ｃを穴部２６に挿入する。
【００２０】  このとき、図４Ｅに示されるように、基部１８と連続する紐２２の長手方向一端側の部分２２Ｂ及び他端側の部分２２Ｃの全体を第一係合部材１４の穴部２６に挿入する。そして、この穴部２６から導出された紐２２の長手方向一端側の部分２２Ｂ及び他端側の部分２２Ｃに環状の固定具２８を通し、この紐２２の長手方向一端側の部分２２Ｂ及び他端側の部分２２Ｃを結ぶ。
【００２１】  そして、図４Ｆに示されるように、紐２２の長手方向一端側の部分２２Ｂ及び他端側の部分２２Ｃによって、基部１８の長手方向と直交方向を結び方向とする第一の本結び３０を形成する。また、このとき、この第一の本結び３０を構成する一対の輪部３０Ａ，３０Ｂを基部１８の両側に形成し、この一対の輪部３０Ａ，３０Ｂで基部１８を両側から挟み込むようにする。
【００２２】  続いて、図４Ｇに示されるように、この第一の本結び３０を形成した紐２２の長手方向一端側の部分２２Ｂ及び他端側の部分２２Ｃによって、基部１８の長手方向と直交方向を結び方向とする第二の本結び３２を形成する。この第二の本結び３２は、第一の本結び３０と逆向きとする。また、このとき、この第二の本結び３２を構成する一対の輪部３２Ａ，３２Ｂを基部１８の両側に形成し、この一対の輪部３２Ａ，３２Ｂで基部１８を両側から挟み込むようにする。
【００２３】  そして、図４Ｈに示されるように、紐２２の長手方向一端側の部分２２Ｂ及び他端側の部分２２Ｃによって、基部１８の基端部１８Ａ（図４Ｇ参照）側から折返し部１８Ｂ側へ順に第一の本結び３０と第二の本結び３２とを交互にそれぞれ複数形成する。これにより、この紐２２の長手方向一端側の部分２２Ｂ及び他端側の部分２２Ｃによって編込み部２０が形成される。なお、この編込み部２０の終端部２０Ｂは、後述する第二係合部材１６（図４Ｉ参照）との固定用に残しておく。
【００２４】  続いて、図４Ｉに示されるように、この編込み部２０の終端部２０Ｂを第二係合部材１６の固定部３４に形成された穴部３６に挿入し、この固定部３４に巻き付ける。そして、この編込み部２０の終端部２０Ｂを例えばライター等の火で炙ることにより互いに接合する。これにより、第二係合部材１６は、編込み部２０の終端部２０Ｂと接続され、且つ、基部１８の折返し部１８Ｂに対し基部１８の長手方向に移動可能とされる。
【００２５】  以上の要領により、ストラップ１０は製造される。
【００２６】  次に、上述のストラップ１０の使い方と併せてその作用及び効果について説明する。
【００２７】  このストラップ１０によれば、図２Ａ，図３Ａに示されるように、第二係合部材１６は、編込み部２０の終端部２０Ｂと接続されており、基部１８の折返し部１８Ｂに対しては基部１８の長手方向に移動可能とされている。従って、第二係合部材１６を基部１８に対して基部１８の長手方向に相対移動させることにより、編込み部２０の長さ、ひいては、ストラップ本体１２の長さ（第一係合部材１４と第二係合部材１６との間の距離）を調節することができる。
【００２８】  つまり、図２Ａ，図３Ａに示されるように、第二係合部材１６を基部１８の基端部１８Ａ側に移動させれば、編込み部２０の長さ、ひいては、ストラップ本体１２の長さを短くすることができる。一方、図２Ｂ，図３Ｂに示されるように、第二係合部材１６を基部１８の折返し部１８Ｂ側に移動させれば、編込み部２０の長さ、ひいては、ストラップ本体１２の長さを長くすることができる。
【００２９】  しかも、このストラップ１０によれば、ストラップ本体１２は、図４Ｇに示されるように、各第一の本結び３０を構成する一対の輪部３０Ａ，３０Ｂで基部１８を両側から挟み込むと共に、同様に、各第二の本結び３２を構成する一対の輪部３２Ａ，３２Ｂで基部１８を両側から挟み込む構成とされている。
【００３０】  従って、上述の如くストラップ本体１２の長さを調節した後に、図１に示されるように、第一係合部材１４及び第二係合部材１６を係合させてストラップ１０を環状とさせた場合には、ストラップ１０を直線状とさせている場合に比して、図４Ｇに示される各第一の本結び３０を構成する一対の輪部３０Ａ，３０Ｂと基部１８との間の摩擦力、及び、各第二の本結び３２を構成する一対の輪部３２Ａ，３２Ｂと基部１８との間の摩擦力が増加される。これにより、図１に示されるストラップ本体１２の長さを調節後の長さに維持することができる。
【００３１】  また、ストラップ本体１２には、固定具２８が取り付けられているので、この固定具２８の内側に基部１８を通すことにより、基部１８をストラップ本体１２と束ねておくことができる。
【符号の説明】
【００３２】１０  ストラップ
１２  ストラップ本体
１４  第一係合部材
１６  第二係合部材
１８  基部
１８Ａ  基部の基端部
１８Ｂ  基部の折返し部
２０  編込み部
２０Ａ  編込み部の始端部
２０Ｂ  編込み部の終端部
２２  紐
３０  第一の本結び
３０Ａ，３０Ｂ  第一の本結びの輪部
３２  第二の本結び
３２Ａ，３２Ｂ  第二の本結びの輪部
【図１】
2011087884.tif 000003
【図２Ａ】
2011087884.tif 000004
【図２Ｂ】
2011087884.tif 000005
【図３Ａ】
2011087884.tif 000006
【図３Ｂ】
2011087884.tif 000007
【図４Ａ】
2011087884.tif 000008
【図４Ｂ】
2011087884.tif 000009
【図４Ｃ】
2011087884.tif 000010
【図４Ｄ】
2011087884.tif 000011
【図４Ｅ】
2011087884.tif 000012
【図４Ｆ】
2011087884.tif 000013
【図４Ｇ】
2011087884.tif 000014
【図４Ｈ】
2011087884.tif 000015
【図４Ｉ】
2011087884.tif 000016